(57)【要約】【課題】受信装置が設定する任意の機能を付け加えることが可能な通信システムを得る。【解決手段】送信器１００は、トランスポートストリーム信号Ｓ１０を送信する送信部１２０を有し、トランスポートストリーム信号Ｓ１０には、任意のイベントと当該イベントが発生した際に実行する任意の機能とを受信器３００において設定する拡張領域が設けられており、トランスポートストリーム信号Ｓ１０において、前記拡張領域には前記イベントの内容と前記機能の内容とが設定されておらず、受信器３００は、トランスポートストリーム信号Ｓ１０を受信する受信部３１０と、前記イベントの内容と前記機能の内容とを設定する設定部３３０と、設定部３３０によって設定された前記イベントの内容と前記機能の内容とを前記拡張領域に挿入することにより、ＴＳパケット群Ｓ１４を生成する挿入部３５０とを有する。【選択図】図１
2011009839.tif 000002
【特許請求の範囲】
【請求項１】
送信装置と、
通信ネットワークを介して前記送信装置に接続された受信装置と
を備え、
前記送信装置は、
第１のトランスポートストリームを生成する生成手段と、
前記受信装置に向けて前記第１のトランスポートストリームを送信する送信手段と
を有し、
前記第１のトランスポートストリームには、任意のイベントと当該イベントが発生した際に実行する任意の機能とを前記受信装置において設定するための拡張領域が設けられており、
前記第１のトランスポートストリームにおいて、前記拡張領域には前記イベントの内容と前記機能の内容とが設定されておらず、
前記受信装置は、
前記第１のトランスポートストリームを受信する受信手段と、
前記イベントの内容と前記機能の内容とを設定する設定手段と、
前記設定手段によって設定された前記イベントの内容と前記機能の内容とを前記拡張領域に挿入することにより、第２のトランスポートストリームを生成する挿入手段と
を有する、通信システム。
【請求項２】
前記挿入手段は、前記イベントの内容と前記機能の内容とを、前記第１のトランスポートストリームのｎｕｌｌパケットに挿入することにより、第２のトランスポートストリームとすることを特徴とする、請求項１に記載の通信システム。
【請求項３】
（ａ）任意のイベントと当該イベントが発生した際に実行する任意の機能とを設定するための拡張領域が設けられ、前記拡張領域に前記イベントの内容と前記機能の内容とが設定されていない第１のトランスポートストリームを生成するステップと、
（ｂ）前記第１のトランスポートストリームを通信ネットワークに送信するステップと、（ｃ）前記第１のトランスポートストリームを前記通信ネットワークから受信するステップと、
（ｄ）前記イベントの内容と前記機能の内容とを設定するステップと、
（ｅ）前記ステップ（ｄ）にて設定された前記イベントの内容と前記機能の内容とを前記拡張領域に挿入することにより、第２のトランスポートストリームを生成するステップとを備える、通信方法。
【発明の詳細な説明】
【技術分野】
【０００１】
本発明は、放送通信における通信規格であるトランスポートストリームを用いた通信システム、及び通信方法に関する。
【背景技術】
【０００２】
デジタル放送などのトランスポートストリームを用いた通信規格では、放送信号には放送データ以外にセクションデータが付加されている。デジタル放送を受信したＯＳＤ（On
Screen Display）表示器がビデオオーバーレイによってＯＳＤを表示する際には、このセクションデータを用いてＯＳＤの表示制御を行っている。
【０００３】
下記特許文献１には、トランスポートストリームを受け取ったＯＳＤ表示器が、ＯＳＤを表示、制御する技術が開示されている。ＯＳＤ表示器は、データ情報の記述にマークアップ言語を用いることで、ＯＳＤ表示器の機種によらずＯＳＤを表示することが可能となる。
【先行技術文献】
【特許文献】
【０００４】
【特許文献１】特許第３７９０７６１号公報
【発明の概要】
【発明が解決しようとする課題】
【０００５】
トランスポートストリームには、その動作処理や機能が記述されたデータファイルが含まれるが、この処理や機能を変更する場合、そのデータファイル全体を差し替える必要があり、変更後のデータファイルを逐一生成し直さなければならなかった。
【０００６】
また、トランスポートストリームの伝送単位であるＴＳ（Transport Stream）パケットでは、通信の際、伝送データ記憶域であるペイロードが伝送段階でスクランブル化されており、伝送途中でデータの変更や追加をすることを前提として作られてはいないものである。したがって、ペイロードに含まれるデータファイルを変更するには、一度トランスポートストリームのスクランブルを解除する必要があり、トランスポートストリームの内容を途中で変更することは複雑で難しいものだった。
【０００７】
本発明の目的は、トランスポートストリームに対して新しくセクションデータを追加することができる拡張機能を持った通信システム、及び通信方法を提供することにある。
【課題を解決するための手段】
【０００８】
本発明の第１の態様に係る通信システムは、送信装置と、通信ネットワークを介して前記送信装置に接続された受信装置とを備え、前記送信装置は、第１のトランスポートストリームを生成する生成手段と、前記受信装置に向けて前記第１のトランスポートストリームを送信する送信手段とを有し、前記第１のトランスポートストリームには、任意のイベントと当該イベントが発生した際に実行する任意の機能とを前記受信装置において設定するための拡張領域が設けられており、前記第１のトランスポートストリームにおいて、前記拡張領域には前記イベントの内容と前記機能の内容とが設定されておらず、前記受信装置は、前記第１のトランスポートストリームを受信する受信手段と、前記イベントの内容と前記機能の内容とを設定する設定手段と、前記設定手段によって設定された前記イベントの内容と前記機能の内容とを前記拡張領域に挿入することにより、第２のトランスポートストリームを生成する挿入手段とを有することを特徴としている。
【０００９】
第１の態様に係る通信システムによれば、送信装置が内容未設定の拡張領域を有する第１のトランスポートストリームを生成し、通信ネットワークを介して当該第１のトランスポートストリームを受け取った受信装置が、拡張領域に任意のイベントと当該イベントが発生した際に実行する任意の機能を設定することで、第２のトランスポートストリームに任意の機能を付け加えることが可能となる。よって、当該第２のトランスポートストリームを受信したトランスポートストリーム表示器では、受信装置が設定した前記イベントが発生すれば、受信装置によって拡張された任意の機能を実行することができるようになる。
【００１０】
本発明の第２の態様に係る通信システムは、第１の態様に係る通信システムにおいて特に、前記挿入手段において、前記イベントの内容と前記機能の内容とを、前記第１のトランスポートストリームのｎｕｌｌパケットに挿入することにより、第２のトランスポートストリームとすること特徴としている。
【００１１】
第２の態様に係る通信システムによれば、拡張領域に追加する挿入データは元々伝送されるｎｕｌｌパケットと置換されるため、トランスポートストリーム通信の伝送効率の悪化を招くことなく、通信を行うことが可能となる。さらに、挿入データを追加しても伝送するパケット数は変化しないので、トランスポートストリームのクロック・リカバリー機能のためにパケット数の調整を行う必要がない。
【００１２】
本発明の第３の態様に係る通信方法は、（ａ）任意のイベントと当該イベントが発生した際に実行する任意の機能とを設定するための拡張領域が設けられ、前記拡張領域に前記イベントの内容と前記機能の内容とが設定されていない第１のトランスポートストリームを生成するステップと、（ｂ）前記第１のトランスポートストリームを通信ネットワークに送信するステップと、（ｃ）前記第１のトランスポートストリームを前記通信ネットワークから受信するステップと、（ｄ）前記イベントの内容と前記機能の内容とを設定するステップと、（ｅ）前記ステップ（ｄ）にて設定された前記イベントの内容と前記機能の内容とを前記拡張領域に挿入することにより、第２のトランスポートストリームを生成するステップとを備えることを特徴としている。
【００１３】
第３の態様に係る通信方法によれば、ステップ（ａ）で設けられた内容未設定の拡張領域に対して、ステップ（ｄ）において、拡張領域に任意のイベントと当該イベントが発生した際に実行する任意の機能を設定することで、第２のトランスポートストリームに任意の機能を付け加えることが可能となる。よって、当該第２のトランスポートストリームを受信したトランスポートストリーム表示器において、ステップ（ｄ）で設定した前記イベントが発生したとき、拡張された任意の機能を実行する第２のトランスポートストリームを生成することができる。
【発明の効果】
【００１４】
本発明によれば、トランスポートストリーム通信において、送信装置が送出するトランスポートストリームに内容未設定の拡張領域を設けることで、受信装置は、当該受信装置が設定する任意イベントが発生した際に実行する、任意の機能を付け加えることが可能となる。
【図面の簡単な説明】
【００１５】
【図１】本発明の実施の形態に係わる通信システムの構成を示すブロック図である。
【図２】受信器の内部構成を示すブロック図である。
【図３】プログラムを実行することによって信号処理部において実現される機能を示す機能ブロック図である。
【図４】機能拡張性を持たせるためのＢＭＬ記述の一部を例示した図である。
【図５】受信器の動作を示すフローチャートである。
【図６】ＰＭＴに追加する情報の一部を例示した図である。
【図７】本発明により機能拡張を行う動作を示すフローチャートである。
【図８】ストリームの多重化に関して模式的に表した比較図である。
【図９】本発明の第２の変形例の構成について模式的に表した図である。
【発明を実施するための形態】
【００１６】
以下、本発明の実施の形態について、図面を用いて説明する。なお、異なる図面において同一の符号を付した要素は、同一または相応する要素を示すものとする。
【００１７】
図１は、本発明の実施の形態に係る通信システム１の構成を概略的に示すブロック図である。通信システム１は、送信器１００、放送ネットワーク２００、受信器３００、表示器４００を備えている。また、送信器１００は内部に送信側生成部１１０と送信部１２０とを有しており、表示器４００は内部に表示部４１０、メモリ４２０、ＣＰＵ（Central Processing Unit）４３０を有している。送信器１００の出力信号Ｓ１０は、放送ネットワーク２００を介して受信器３００に入力されており、受信器３００の出力信号Ｓ１１は表示器４００に入力されている。
【００１８】
図２は、受信器３００の内部構成を示すブロック図である。受信器３００は、受信部３１０、ＣＰＵ等の信号処理部３１１、半導体メモリ等の記憶部３１３、送信部３１２を有している。また、受信器３００への入力は受信部３１０の入力に接続されている。受信部３１０からの出力は信号処理部３１１の入力に接続されている。信号処理部３１１の出力は記憶部３１３の入力と送信部３１２の入力とに接続されている。記憶部３１１の出力は信号処理部３１１の入力に接続されている。そして、送信部３１２の出力は受信器３００の出力となる。
【００１９】
本発明の実施の形態に係る通信システム１が備える受信器３００はコンピュータ装置であり、記憶部３１３に格納されたプログラム３１４を信号処理部３１１が読み込み、プログラム３１４を実行することで、本発明の機能を実現させることができる。放送ネットワーク２００からのトランスポートストリーム信号Ｓ１０が受信部３１０に入力された場合、そのトランスポートストリーム信号Ｓ１０は信号処理部３１１に入力され、記憶部３１３に書き込まれる。そして、信号処理部３１１は記憶部３１３からプログラム３１４を読み込み、プログラム３１４の命令に従って、記憶部３１３から読み出したトランスポートストリーム信号Ｓ１０を処理していく。（以下、プログラムの読み込みと実行とを特に記載していない場合でも同様である。）
【００２０】
図３は、プログラム３１４を実行することによって信号処理部３１１において実現される機能を示す機能ブロック図である。プログラム３１４が信号処理部３１１によって実現させる機能においては、信号処理部３１１への入力は抽出部３２０と挿入部３５０との入力になる。抽出部３２０の出力は設定部３３０の入力となる。設定部３３０の出力は挿入部３５０の入力となる。受信側生成部３４０の出力は挿入部３５０と設定部３３０との入力となる。挿入部３５０の出力が信号処理部３１１の出力となる。
【００２１】
次に本発明の実施の形態に係る通信システム１の動作の説明を行う。通信システム１は放送ネットワーク２００を介して、送信側と受信側とに分かれている。この送信側と受信側との間における放送データ通信には、標準化規格としてＭＰＥＧ−２トランスポートストリームが用いられる。トランスポートストリームは、放送データをパケット化し、多重化や蓄積を行って通信する規格である。トランスポートストリームの単位パケットであるＴＳ（Transport Stream）パケットには、ＰＥＳ（Packetized Elementary Stream）パケ
ット形式のオーディオデータやビデオデータ、ＰＭＴ（Program Map Table）と呼ばれる各パケットの属性情報、トランスポートストリームのセクションデータなどが格納されている。
【００２２】
このセクションデータの中には、マルチメディア符号化規格であるＢＭＬ（Broadcast Markup Language）で記述されたデータが含まれている。ＢＭＬはマークアップ言語の一種で、表示器４００の動作制御などに関する情報が記述されている。
【００２３】
まず、送信器１００の送信側生成部１１０は、受信側に向け放送するための放送データを含んだトランスポートストリーム信号Ｓ１０を生成する。このトランスポートストリーム信号Ｓ１０に含まれるＢＭＬファイルには、新たに任意のＢＭＬファイルを追加し機能拡張するための記述がされている。この機能拡張するための記述の一部を図４に例示する。図４の例示では、“ｊｕｍｐ＿ｄｏｃ”というイベントメッセージを受け取ると、ｆｕｎｃｔｉｏｎ  ｊｕｍｐ＿ｄｏｃ（）として宣言された関数を実行し、ｃｏｍｐｏｎｅｎｔ  ｔａｇで指定されたエレメンタリストリームに含まれる「ｘｘｘ．ｂｍｌ」というＢＭＬファイルを読み込むという処理が記述されている。
【００２４】
そして、送信側生成部１１０で生成されたトランスポートストリーム信号Ｓ１０は、送信部１２０によって、放送ネットワーク２００に送出される。この段階では、トランスポートストリーム信号Ｓ１０に含まれる機能拡張のための記述による拡張領域には、何も入っておらず、拡張領域は空のままである。そして、このトランスポートストリーム信号Ｓ１０は、放送ネットワーク２００を介して、パケット通信によって受信器３００に受信される。
【００２５】
図５は、トランスポートストリーム信号Ｓ１０を受信した受信器３００の動作を示すフローチャートである。まず、ステップＳＰ１００において、受信器３００に入力されたトランスポートストリーム信号Ｓ１０は、受信部３１０に入力される。受信部３１０はトランスポートストリーム信号Ｓ１０に対してパケット受信を行い、ＴＳパケット群Ｓ１２を出力する。
【００２６】
次に、ステップＳＰ１１０において、抽出部３２０は入力されたＴＳパケット群Ｓ１２からＰＭＴを含むパケットを探し出し、ＰＭＴの抽出を行う。ＰＭＴにはトランスポートストリームが有する放送データの種類やＰＩＤ（Packet Identification）などのトランスポートストリームに関する情報が格納されている。抽出部３２０は抽出したＰＭＴから得た情報を、ＰＭＴ情報Ｓ２１として設定部３３０に出力する。
【００２７】
次に、ステップＳＰ１２０において、受信側生成部３４０は、任意のイベントが発生した場合に拡張する任意の機能が記述されたＢＭＬファイルと、このイベントの発生を知らせるイベントメッセージとを含んだカルーセルストリームＳ２４を生成し、挿入部３５０に出力する。さらに、受信側生成部３４０は、カルーセルストリームＳ２４のストリーム情報Ｓ２２を設定部３３０に出力する。
【００２８】
次に、ステップＳＰ１３０において、設定部３３０は、入力されたＰＭＴ情報Ｓ２１とストリーム情報Ｓ２２とに基づいて、新たに設定したＰＭＴ情報Ｓ２３を生成する。このとき、ＰＭＴには新たに追加するストリームの情報が追加されることになる。したがって、ＰＭＴのＣＲＣ（Cyclic Redundancy Check）も設定し直す必要がある。そして、設定部３３０は、新たに設定したＰＭＴ情報Ｓ２３を挿入部３５０に出力する。ステップＳＰ１３０において、新たに設定したＰＭＴに追加されるＰＭＴ情報の一例を図６に示す。図６（ａ）には汎用イベントメッセージを追加する場合にＰＭＴに付け加えられる情報を、図６（ｂ）にはカルーセルストリームを追加する場合にＰＭＴに付け加えられる情報を示
した。
【００２９】
次に、ステップＳＰ１４０において、挿入部３５０は、ＴＳパケット群Ｓ１２に対して、新たに設定したＰＭＴ情報Ｓ２３とカルーセルストリームＳ２４とを挿入し、ＴＳパケット群Ｓ１４を生成する。
【００３０】
次に、ステップＳＰ１５０において、ＴＳパケット群１４を受け取った送信部３１２は、受信器３００の出力として、任意の機能が拡張されたトランスポートストリーム信号Ｓ１１を表示器４００に向け送信する。
【００３１】
そして、受信器３００から出力されたトランスポートストリーム信号Ｓ１１を受信した表示器４００は、トランスポートストリーム信号Ｓ１１に対して復号化を行い、伝送されてきた放送を表示部４１０に表示する表示処理を行う。この際、トランスポートストリーム信号Ｓ１１に付属されていたＢＭＬファイルはメモリ４２０に読み込まれる。そしてＣＰＵ４３０によって信号処理されることで、表示器４００はＢＭＬファイルに記述された機能を実現する。
【００３２】
図７は、表示器４００が拡張された機能を実行する動作を示すフローチャートである。まず、ステップＳＰ２００において、表示器４００はエントリーポイントとなるＢＭＬファイルを読み込む。エントリーポイントとなるＢＭＬは送信側生成部１１０においてトランスポートストリーム信号Ｓ１０を生成する際に付属されたＢＭＬファイルである。表示器４００はこのＢＭＬファイルに従いＯＳＤなどの処理制御を行う。また、トランスポートストリーム信号Ｓ１０に含まれるＢＭＬファイルには、図４に例示したような任意の機能を拡張するための記述がされている。
【００３３】
次に、ステップＳＰ２１０において、表示器４００はイベントメッセージを受信したかどうかを判定する。表示器４００がデータカルーセルＳ２４から特定のイベントメッセージ（図４の例示では“ｊｕｍｐ＿ｄｏｃ”というイベントメッセージ）を受信した場合は「ＹＥＳ」と判定し、ステップＳＰ２２０に進む。当該特定のイベントメッセージを受信しなかった場合は「ＮＯ」と判定し、ステップＳＰ２４０に進む。
【００３４】
ステップＳＰ２２０において、表示器４００は機能拡張のための記述がされたＢＭＬファイルが指定する新たなＢＭＬファイル（図４の例示の場合はｘｘｘ．ｂｍｌというファイル）をデータカルーセルＳ２４から受信して読み込む。
【００３５】
次にステップＳＰ２３０において、表示器４００はステップＳＰ２２０で新たに読み込んだＢＭＬファイルの記述に従い、表示器４００の制御を行う。この新たに読み込んだＢＭＬファイルに、拡張を行いたい任意の機能を記述しておくことで、表示器４００は任意の機能を実行処理することができる。
【００３６】
また一方、ステップＳＰ２１０において、イベントメッセージが受信されず「ＮＯ」と判定した場合、ステップＳＰ２４０を実行する。ステップＳＰ２４０において、表示器４００は、追加されたＢＭＬファイルがなかったため、トランスポートストリーム信号Ｓ１０に付属されていた元のＢＭＬファイルの記述のみを実行することで、機能拡張を行わない場合の表示器４００の制御を行うことができる。
【００３７】
以上のように、本発明の実施の形態に係る通信システム１によれば、受信側生成部３４０が生成した任意のＢＭＬファイルと任意のイベントメッセージを含んだカルーセルストリームＳ２４を、トランスポートストリーム信号Ｓ１０に追加挿入することで、表示器４００が任意のイベントメッセージを受信した際に、表示器４００に拡張された任意の機能
を実行させることが可能となる。
【００３８】
＜第１の変形例＞
第１の変形例に係るデータ処理装置１によれば、ステップＳＰ１４０において、挿入部３５０がカルーセルストリームＳ２４をＴＳパケット群Ｓ１２に挿入するにあたって、ストリーム同士を多重化するのではなく、ＴＳパケット群Ｓ１２が有するｎｕｌｌパケットのペイロードに、カルーセルストリームＳ２４のデータを挿入する。一般的なストリーム同士の多重化した場合と、ｎｕｌｌパケットに挿入した場合のＴＳパケットを模式的に表した図を、図８に示す。なお、図８においてＴＳパケットのヘッダ部は省略してある。
【００３９】
図８で示したように、一般的なストリーム同士の多重化では、パケット同士を順番に多重にしていくので、ストリームを追加すると、追加前と比べて伝送データ量が増えるのに対して、ｎｕｌｌパケットに挿入すると、ストリームの追加前と伝送データ量は変わらず、伝送効率の悪化を招くことなくストリームの追加が可能である。
【００４０】
また、トランスポートストリーム通信では、送信側のクロックと受信側のクロックとを同期させるためにクロック・リカバリー機能が用いられる。このとき、一般的なストリーム同士の多重化を行うと、ストリーム中のパケット数が変わってしまうので、正しくクロック・リカバリーするためには、改めてパケット数の調整などを行って同期をとる必要があるが、本発明の第１の変形例を用いれば、伝送するパケット数がデータ挿入の前と後とで変化しないため、改めてクロック・リカバリーのための調整を行う必要はない。
【００４１】
＜第２の変形例＞
図９は本発明の第２の実施例を模式的に示した図である。家庭内におけるデジタル放送の視聴の際に、視聴者はＨＧＷ（Home Gateway）５１０を介してＳＴＢ（Set Top Box）５２０にてデジタル放送信号を受信する。ＳＴＢ５２０は、デジタル放送信号のスクランブルを解除し、また、デジタル放送信号を復号化して、デジタルテレビ５３０で放送の受像を行うことができる。
【００４２】
ここで、本発明の実施の形態における通信システム１の構造でいえば、ＨＧＷ５１０は受信器３００の機能を有し、ＳＴＢ５２０とデジタルテレビ５３０とが表示器４００の機能を有しているものとして説明を行う。また、本発明の実施の形態における通信システム１の送信器１００が持つ機能は、デジタル放送を行う放送局が有しているとする。なお、本発明の実施の形態における通信システムが実装される機器は限定されるものではなく、あくまでも例示であって、ＳＴＢ５２０が受信器３００の機能を有していてもよい。
【００４３】
放送局は、デジタル放送の放送データをトランスポートストリームとして放送ネットワーク５５０に送信する。このとき、トランスポートストリームには本発明における任意の機能を拡張するための記述を含んだＢＭＬファイルが付属されている。放送ネットワーク５５０からトランスポートストリームを受け取ったＨＧＷ５１０は放送データをＳＴＢ５２０に送り、トランスポートストリームの復号化を行う。復号化された放送データをデジタルテレビ５３０が受信して、テレビ画面にて放送を視聴することができる。
【００４４】
ここで、ＨＧＷ５１０に接続された火災報知器５４０のセンサーが火災を感知したとする（火災感知イベントの発生）。火災報知器５４０は火災発生信号をＨＧＷ５１０に送信する。火災発生信号を受け取ったＨＧＷ５１０は、火災発生警報を表示するための制御が記述されたＢＭＬファイルと、火災発生警報に関するイベントメッセージを含んだカルーセルストリームとを生成し、トランスポートストリームに挿入する。このカルーセルストリームが追加されたトランスポートストリームを受け取ったデジタルテレビ５３０は、火災発生警報に関するイベントメッセージを受信することで、図４に例示されるような任意
の機能を拡張するための記述に従い、さらに追加された火災発生警報を表示するためのＢＭＬファイルをデータカルーセルから読み込む。この追加されたＢＭＬファイルの記述に従い、デジタルテレビ５３０はその画面に火災発生警報を表示することが可能となる。
【００４５】
＜第３の変形例＞
本発明の第３の変形例によると、ＨＧＷ５１０には電話回線が接続されており（電話回線は放送ネットワーク５５０と別途用意されている必要はなく、同じ放送ネットワーク５５０を使用してもよい）、電話の着信検知機能を有している。電話の着信があると、ＨＧＷ５１０は、着信時の制御が記述されたＢＭＬファイルと、着信に関するイベントメッセージを含んだカルーセルストリームとを生成する。このカルーセルストリームはトランスポートストリームに挿入され、デジタルテレビ５３０に送られる。
【００４６】
着信に関するイベントメッセージを受け取ったデジタルテレビ５３０は、図４に例示されるような任意の機能を拡張するための記述に従い、さらに着信時の制御が記述されたＢＭＬファイルをデータカルーセルから読み込む。このＢＭＬファイルの記述に従い、デジタルテレビ５３０は「着信があります」などの電話の着信を知らせるメッセージを、デジタルテレビ５３０に表示することが可能となる。
【００４７】
本発明の実施においては、例示したものに限るものではなく、他にも防犯センサーの警告表示やインターホンの来客を知らせる表示を行うこともできる。また、ＯＳＤ画面への表示だけでなく、ＢＭＬによって制御が可能な任意の処理を拡張することができる。
【００４８】
なお、今回開示された実施の形態は、すべての点で例示であり制限的なものではないと考えられるべきである。本発明の範囲は、上記した意味ではなく、特許請求の範囲にとって示され、特許請求の範囲と均等の意味及び範囲内でのすべての変更が含まれることが意図される。
【符号の説明】
【００４９】
１  通信システム
１００  送信器
１１０  送信側生成部
１２０  送信部
２００  放送ネットワーク
３００  受信器
３１０  受信部
３１１  信号処理部
３１２  送信部
３１３  記憶部
３１４  プログラム
３２０  抽出部
３３０  設定部
３４０  受信側生成部
３５０  挿入部
４００  表示器
４１０  表示部
４２０  メモリ
４３０  ＣＰＵ
【図１】
2011009839.tif 000003
【図２】
2011009839.tif 000004
【図３】
2011009839.tif 000005
【図４】
2011009839.tif 000006
【図５】
2011009839.tif 000007
【図６】
2011009839.tif 000008
【図７】
2011009839.tif 000009
【図８】
2011009839.tif 000010
【図９】
2011009839.tif 000011